【手続補正書】
【提出日】平成19年2月16日(2007.2.16)
【手続補正１】
【補正対象書類名】特許請求の範囲
【補正対象項目名】全文
【補正方法】変更
【補正の内容】
【特許請求の範囲】
【請求項１】
映像信号を含む放送を受信する受信部と、
前記受信部で受信する放送を選局する選局データの入力を無線の形態で受ける選局データ入力部と、
前記受信部で受信した映像信号無線の形態で出力する映像信号出力部と、
前記選局データ入力部で選局データの入力を受けると当該選局データに応答する応答データと前記受信部で受信した映像信号とを混在させて出力するよう前記映像信号出力部を制御する制御部とを備える受信装置。
【請求項２】
映像信号を含む放送を受信する受信部と、
前記受信部で受信する放送を選局する選局データの入力を無線の形態で受ける選局データ入力部と、
前記受信部で受信した映像信号を無線の形態で出力する映像信号出力部と、
前記選局データ入力部で選局データの入力を受けると当該選局データに応答する応答データと前記受信部で受信した映像信号とを多重して出力するよう前記映像信号出力部を制御する制御部とを備える受信装置。
【請求項３】
映像信号を含む放送を受信する受信部と、
前記受信部で受信する放送を選局する選局データの入力を無線の形態で受ける選局データ入力部と、
前記受信部で受信した映像信号を無線の形態で出力する映像信号出力部と、
前記選局データ入力部で選局データの入力を受けると当該選局データに応答する応答データを前記受信部で受信した映像信号に付加して出力するよう前記映像信号出力部を制御する制御部とを備える受信装置。
【請求項４】
請求項１に記載の受信装置において、
前記制御部は、前記映像信号出力部が映像信号と応答データとを所定の周波数帯域内に混在させて出力するよう制御する受信装置。
【請求項５】
請求項２記載の受信装置において、
前記制御部は、前記映像信号出力部が前記映像信号と応答データとを所定の周波数帯域内に多重して出力するよう制御する受信装置。
【請求項６】
請求項２記載の受信装置において、
前記制御部は、前記映像信号をクランプし、前記応答データをパラレル形式からシリアル形式に変換し、前記クランプされた映像信号の一部をゲート信号で選択し、当該選択期間に前記シリアル形式に変換された応答データを多重することを特徴とする受信装置。
【請求項７】
請求項１〜３のいずれかに記載の受信装置において、
映像信号を出力する外部信号源と当該受信装置とを接続する接続部と、
前記接続部から入力された映像信号と前記受信部より受信された映像信号とを切り換える切換部とを備え、
前記映像信号出力部は、前記切換部で切り換えられた映像信号を出力するものであって、
前記選局データ入力部は、前記受信部で受信する放送を選択する選局データ及び前記外部信号源を制御する制御データの入力を受け、
前記制御部は、前記入力を受けた制御データに基づいて前記外部信号源に対する制御信号を生成して前記接続部を介して前記外部信号源に出力する受信装置。
【請求項８】
放送を選局する選局データの入力を受ける選局データ入力部と、
前記選局データ入力部に入力された選局データを放送を受信する受信装置へ無線の形態で送信する送信部と、
前記受信装置から伝送される映像信号と前記送信部で送信した選局データに応答する応答データとが混在したデータを受信する受信部と、
前記受信部で受信した映像信号を表示する表示部と、
前記受信部で受信した応答データに基づく情報を前記表示部に表示するよう制御する制御部と、
を備える表示装置。
【請求項９】
放送を選局する選局データの入力を受ける選局データ入力部と、
前記選局データ入力部に入力された選局データを放送を受信する受信装置へ無線の形態で送信する送信部と、
前記受信装置から伝送される映像信号と前記送信部で送信した選局データに応答する応答データとが多重されたデータを受信する受信部と、
前記受信部で受信した映像信号を表示する表示部と、
前記受信部で受信した応答データに基づく情報を前記表示部に表示するよう制御する制御部と、
を備える表示装置。
【請求項１０】
受信装置と表示装置とを有する映像受信システムにおいて、
前記受信装置は、
映像信号を含む放送を受信する放送受信部と、
前記放送受信部で受信する放送を選局する選局データの入力を無線の形態で受ける選局データ入力部と、
前記放送受信部で受信した放送の映像信号を無線の形態で出力する映像信号出力部と、
前記選局データ入力部で選局データの入力を受けると当該選局データに応答する応答データと前記放送受信部で受信した映像信号とを混在させて出力するよう前記映像信号出力部を制御する制御部とを備え、
前記表示装置は、
選局データの入力を受ける選局データ入力部と、
前記選局データ入力部に入力された選局データを受信装置へ無線の形態で送信する選局データ送信部と、
前記受信装置の映像信号出力部から出力された映像信号と応答データとが混在するデータを無線の形態で受信する映像信号受信部と、
前記映像信号受信部で受信した映像信号を表示する表示部と、
前記映像信号受部で受信した応答データに基づく情報を前記表示部に表示するよう制御する制御部と、
を備える映像受信システム。
【請求項１１】
受信装置と表示装置とを有する映像受信システムにおいて、
前記受信装置は、
映像信号を含む放送を受信する放送受信部と、
前記放送受信部で受信する放送を選局する選局データの入力を無線の形態で受ける選局データ入力部と、
前記放送受信部で受信した放送の映像信号を無線の形態で出力する映像信号出力部と、
前記選局データ入力部で選局データの入力を受けると当該選局データに応答する応答データと前記放送受信部で受信した映像信号とを混在させて出力するよう前記映像信号出力部を制御する制御部とを備え、
前記表示装置は、
選局データの入力を受ける選局データ入力部と、
前記選局データ入力部に入力された選局データを受信装置へ無線の形態で送信する選局データ送信部と、
前記受信装置の映像信号出力部から出力された映像信号と応答データとが混在するデータを無線の形態で受信する映像信号受信部と、
前記映像信号受信部で受信した映像信号を表示する表示部と、
前記映像信号受部で受信した応答データに基づく情報を前記表示部に表示するよう制御する制御部と、
を備える映像受信システム。
【請求項１２】
映像信号及び音声信号を含む放送波を受信し、
前記受信した放送波を選択する選局データの入力を無線の形態で受け、
前記受信した映像信号及び音声信号を無線の形態で伝送可能とするように変換し、
当該変換した映像信号及び音声信号に前記入力を受けた選局データに応答するデータを混在させて出力することを特徴とする受信方法。
【請求項１３】
映像信号及び音声信号を含む放送波を受信し、
前記した放送波を選択する選局データの入力を無線の形態で受け、
前記受信した映像信号及び音声信号を無線の形態で伝送可能とするように変換し、当該変換した映像信号及び音声信号に前記入力を受けた選局データに応答するデータを多重して出力する受信方法。
【請求項１４】
放送波を選局する選局データの入力を受け、
前記入力を受けた選局データを放送波を受信する受信装置へ無線の形態で送信し、
前記送信した選局データに基づき選局された放送波の映像信号と前記送信した選局データに対する応答である応答データとが混在したデータを前記受信部から無線の形態で受信し、
前記受信した映像信号を表示し、
前記受信した応答データに基づいて前記映像信号を表示する表示方法。
【請求項１５】
放送波を選局する選局データの入力を受け、
前記入力を受けた選局データを放送波を受信する受信装置へ無線の形態で送信し、
前記送信した選局データに基づき選局された放送波の映像信号と送信した選局データに対する応答である応答データとが多重されたデータを無線の形態で受信し、
前記受信した応答データに基づいて前記受信した映像信号を表示する表示方法。
【請求項１６】
放送波を選択する選局データの入力を受け、
前記入力を受けた選局データを無線の形態で送信し、
前記送信した選局データの入力を受け当該選局データに基づき選局された放送波の映像信号と当該選局データに応答する応答データとを混在させて無線の形態で送信し、
前記送信した映像信号と応答データとを受信し当該応答データに基づき当該映像信号を表示する受信表示方法。
【請求項１７】
放送波を選択する選局データの入力を受け、
前記入力を受けた選局データを無線の形態で送信し、
前記送信した選局データの入力を受け当該選局データに基づき選局された放送波の映像信号と当該選局データに応答する応答データとを多重して無線の形態で送信し、
前記送信した映像信号と応答データとを受信し当該応答データに基づき当該映像信号を表示する受信表示方法。
【請求項１８】
放送を受信する受信装置と映像を表示する表示装置とを有する受信表示システムにおいて、
表示装置は放送を選局する選局データの入力を受け、当該選局データを受信装置に無線の形態で送信し、
受信装置は表示装置から送信された選局データを受信し、当該選局データが示す放送の映像信号と当該選局データに対する応答である応答データとを混在させて無線の形態で表示装置に送信し、
表示装置は受信装置から送信される映像信号と応答データとを受信し、当該映像信号と当該応答データに基づく情報とを表示する受信表示システム。
【手続補正２】
【補正対象書類名】明細書
【補正対象項目名】発明の名称
【補正方法】変更
【補正の内容】
【発明の名称】受信装置、表示装置、映像受信システム、受信方法、表示方法、受信表示方法及び受信表示システム